(57)【特許請求の範囲】
【請求項１】
硬質な樹脂材料により、室内ドアと床面との間の隙間に設置できる程度の薄板状にかつ横断面形状はほぼかまぼこ型に形成されたＬ字状の配線器具本体の裏面中央部位に光ケーブル配線が挿入されるほぼＬ字形状の配線挿入溝が前記光ケーブル配線の延設方向に沿って形成され、
前記配線器具本体の切断長さの位置決め用および切断補助用の切り込み部が前記配線挿入溝の両側に前記光ケーブル配線の延設方向と直交する方向に延設された状態で前記配線挿入溝に沿って複数並設され、
前記切り込み部の両端は前記配線器具本体の表面側に露出されない範囲に形成されていることを特徴とする屋内光ケーブル配線用の配線器具。
【請求項２】
前記配線器具本体は、Ｌ字状の屈曲部を有し、
前記屈曲部は、前記配線挿入溝が前記光ケーブル配線の光ケーブルの光伝達損失がない許容範囲の曲げ半径の湾曲部に沿って形成されていることを特徴とする請求項１に記載の屋内光ケーブル配線用の配線器具。
【請求項３】
床面と縦壁面との連結部に配設されるＬ字状の配線器具連結具を有し、
前記配線器具連結具は、Ｕ字状の断面形状の連結具本体を有し、
前記連結具本体の一端部側が前記配線器具本体の端部に係合されて前記配線器具本体から延設される前記光ケーブル配線を前記縦壁面方向にガイドすることを特徴とする請求項１に記載の屋内光ケーブル配線用の配線器具。
【請求項４】
前記連結具本体は、Ｌ字状の連結部の内部に前記配線器具本体から延設される前記光ケーブル配線の光ケーブルの光伝達損失がない許容範囲の曲げ半径の湾曲部に沿って形成されている光ケーブル配線通路を有することを特徴とする請求項３に記載の屋内光ケーブル配線用の配線器具。
【請求項５】
前記連結具本体は、一端部側に切断長さの位置決め用および切断補助用の切り込み部が形成されていることを特徴とする請求項３または４のいずれかに記載の屋内光ケーブル配線用の配線器具。
【請求項６】
柔軟な樹脂材料で形成されたモール本体を有し、
前記モール本体は、壁面に固定される固定面と、この固定面の両側部からそれぞれ立脚された２つの挟持部とを有し、
前記固定面の一側部側から立脚された第１挟持部は、先端部が前記固定面の他側部側に向けて湾曲された第１先端湾曲部を有するとともに、前記固定面の他側部側から立脚された第２挟持部は、先端部が前記固定面の一側部側に向けて湾曲された第２先端湾曲部を有し、前記第１挟持部の前記第１先端湾曲部と前記第２挟持部の前記第２先端湾曲部とが開閉可能に重ね合わされた状態で保持され、
前記配線器具本体または前記連結具本体のいずれか一方から延設される前記光ケーブル配線を前記モール本体の前記第１挟持部の前記第１先端湾曲部と前記第２挟持部の前記第２先端湾曲部との間に挿入した状態で保持することを特徴とする請求項３に記載の屋内光ケーブル配線用の配線器具。
【請求項７】
前記モール本体は、回転ドラムに繰り出し可能に巻き付けられた状態で収納され、必要に応じて前記回転ドラムから繰り出して使用可能であることを特徴とする請求項６に記載の屋内光ケーブル配線用の配線器具。
【発明の詳細な説明】
【技術分野】
【０００１】
本発明は、家屋内に光ケーブル配線を行なう作業時に使用される光ケーブル配線用の配線器具に関する。
【背景技術】
【０００２】
光ファイバを一般家庭に直接引き込んで高速通信サービスを実現するケースが増加している。室外から家屋内に光ケーブル配線を引き込んで光ケーブル配線を行なう作業時には、従来は家屋の壁面に穴を開け、その穴に光ケーブル配線を通したり、ドアの隅を局所的に削り、その隙間に光ケーブル配線を通したりするなどの工事が必要になっている。
【０００３】
また、光ケーブル配線を例えば玄関からリビングまでなど家屋の複数の部屋間にまたがって敷設する場合は、比較的長い距離の光ケーブルを敷設、配線する工事が行なわれる。このような場合、部屋の内部で光ケーブル配線がむき出しになると、美観が悪くなる可能性がある。そこで、光ケーブル配線がむき出しになることを避けるために光ケーブル配線を保持する基台と、この基台を覆うカバー部材（蓋）の２部品からなるワイヤプロテクタと呼ばれる配線保持器具を使用して光ケーブル配線を隠す作業が行なわれている。
【先行技術文献】
【特許文献】
【０００４】
【特許文献１】特開２０１０−２６６５１９号公報
【発明の概要】
【発明が解決しようとする課題】
【０００５】
光配線方式の増加やホームＩＣＴの普及拡大に伴い、宅内の光配線形態は複雑化・多様化している。そして、家屋の壁面に穴を開けたり、ドアの隅を局所的に削るなどの工事は施工性が悪く、コストが高くなるうえ、美観性も低下するなどの問題がある。
また、配線保持器具を使用して光ケーブル配線を隠す作業は、配線保持器具の基台にカバー部材を組み付ける作業に時間がかかる。さらに、従来の配線保持器具は、硬質部材で製作されているので、現場で寸法合わせして配線保持器具を適正な大きさに切断する作業に時間がかかる。そのため、光ケーブル配線作業に多くの時間を費やしている。また、一般的な配線保持器具は一定の長さの部品（１ｍ単位の定尺）で形成されている。そのため、光ケーブル配線の長さが長い場合には使用する配線保持器具の数が多くなるとともに、配線保持器具を適正な大きさに切断することで、多くの端尺が発生する可能性があり、経済性が低下する等の課題がある。
【０００６】
本発明は上記事情に着目してなされたもので、その目的は、家屋内に光ケーブル配線を行なう作業時に使用され、従来と比較して安価で施工性に優れるだけでなく、美観性も向上させた光ケーブル配線用の配線器具を提供することにある。
【課題を解決するための手段】
【０００７】
本発明の一局面の態様は、硬質な樹脂材料により、室内ドアと床面との間の隙間に設置できる程度の薄板状にかつ横断面形状はほぼかまぼこ型に形成されたＬ字状の配線器具本体の裏面中央部位に光ケーブル配線が挿入されるほぼＬ字形状の配線挿入溝が前記光ケーブル配線の延設方向に沿って形成され、前記配線器具本体の切断長さの位置決め用および切断補助用の切り込み部が前記配線挿入溝の両側に前記光ケーブル配線の延設方向と直交する方向に延設された状態で前記配線挿入溝に沿って複数並設され、前記切り込み部の両端は前記配線器具本体の表面側に露出されない範囲に形成されていることを特徴とする屋内光ケーブル配線用の配線器具である。  
そして、上記構成では、家屋のドアと床面との間の隙間に配線器具本体を設置し、この配線器具本体の配線挿入溝内に光ケーブル配線を挿通することにより、簡単に光ケーブル配線を通すことができるとともに、現場で寸法合わせして配線器具本体の切断長さの位置決めを行なうことができ、現場で寸法合わせした長さで切断補助用の切り込み部から切断することで、現場の状況に合わせて好適な状態で配線器具本体を設置することができるようにしたものである。
【０００８】
好ましくは、前記配線器具本体は、Ｌ字状の屈曲部を有し、前記屈曲部は、前記配線挿入溝が前記光ケーブル配線の光ケーブルの光伝達損失がない許容範囲の曲げ半径の湾曲部に沿って形成されている。  
そして、上記構成では、配線器具本体の配線挿入溝内に挿入された光ケーブル配線は、Ｌ字状の屈曲部では光ケーブルの光伝達損失がない許容範囲の曲げ半径の湾曲部に沿って曲げられることにより、光ケーブルの光伝達損失の発生を防止することができる。
【０００９】
好ましくは、床面と縦壁面との連結部に配設されるＬ字状の配線器具連結具を有し、前記配線器具連結具は、Ｕ字状の断面形状の連結具本体を有し、前記連結具本体の一端部側が前記配線器具本体の端部に係合されて前記配線器具本体から延設される前記光ケーブル配線を前記縦壁面方向にガイドする。  
そして、上記構成では、Ｌ字状の配線器具連結具の一端部側が配線器具本体の端部に係合されて配線器具本体から延設される光ケーブル配線を縦壁面方向にガイドすることができる。
【００１０】
好ましくは、前記連結具本体は、Ｌ字状の連結部の内部に前記配線器具本体から延設される前記光ケーブル配線の光ケーブルの光伝達損失がない許容範囲の曲げ半径の湾曲部に沿って形成されている光ケーブル配線通路を有する。  
そして、上記構成では、連結具本体のＬ字状の連結部内に挿入された光ケーブル配線は、光ケーブルの光伝達損失がない許容範囲の曲げ半径の湾曲部に沿って曲げられることにより、光ケーブルの光伝達損失の発生を防止することができる。
【００１１】
好ましくは、前記連結具本体は、一端部側に切断長さの位置決め用および切断補助用の切り込み部が形成されている。  
そして、上記構成では、連結具本体の切り込み部で簡単に切断することができ、現場の状況に合わせて好適な状態で連結具本体を設置することができるようにしたものである。
【００１２】
好ましくは、柔軟な樹脂材料で形成されたモール本体を有し、前記モール本体は、壁面に固定される固定面と、この固定面の両側部からそれぞれ立脚された２つの挟持部とを有し、前記固定面の一側部側から立脚された第１挟持部は、先端部が前記固定面の他側部側に向けて湾曲された第１先端湾曲部を有するとともに、前記固定面の他側部側から立脚された第２挟持部は、先端部が前記固定面の一側部側に向けて湾曲された第２先端湾曲部を有し、前記第１挟持部の前記第１先端湾曲部と前記第２挟持部の前記第２先端湾曲部とが開閉可能に重ね合わされた状態で保持され、前記配線器具本体または前記連結具本体のいずれか一方から延設される前記光ケーブル配線を前記モール本体の前記第１挟持部の前記第１先端湾曲部と前記第２挟持部の前記第２先端湾曲部との間に挿入した状態で保持する。  
そして、上記構成では、モール本体の第１挟持部の第１先端湾曲部と第２挟持部の第２先端湾曲部との重ね合わせ部分を押し広げることにより、簡単に光ケーブル配線をモール本体の内部に組み付けることができるようにしたものである。
【００１３】
好ましくは、前記モール本体は、回転ドラムに繰り出し可能に巻き付けられた状態で収納され、必要に応じて前記回転ドラムから繰り出して使用可能である。  
そして、上記構成では、モール本体は、回転ドラムから繰り出すことで、光ケーブル配線の敷設長さが比較的長い場合でも簡単に対応でき、光ケーブル配線の敷設作業時にモール本体の端尺が出ることを防止して経済性を高めることができるようにしたものである。
【発明の効果】
【００１４】
本発明によれば、家屋内に光ケーブル配線を行なう作業時に使用され、従来と比較して安価で施工性に優れるだけでなく、美観性も向上させた屋内光ケーブル配線用の配線器具を提供することができる。
【図面の簡単な説明】
【００１５】
【図１】本発明の第１の実施の形態の屋内光ケーブル配線用の配線器具が使用される屋内光ケーブル配線の使用例の概略構成を示す斜視図。
【図２】第１の実施の形態の屋内光ケーブル配線の配線器具本体の裏面を示す斜視図。
【図３】第１の実施の形態の屋内光ケーブル配線の配線器具本体の表面を示す斜視図。
【図４】第１の実施の形態の屋内光ケーブル配線の配線器具本体の裏面を示す平面図。
【図５】（Ａ）は図４のＶＡ−ＶＡ線断面図、（Ｂ）は図４のＶＢ−ＶＢ線断面図。
【図６】第１の実施の形態の屋内光ケーブル配線の配線器具と組み合わせて使用されるケーブル保護モールのモール本体を示す斜視図。
【図７】ケーブル保護モールのモール本体を示す横断面図。
【図８】第１の実施の形態の屋内光ケーブル配線の配線器具と組み合わせて使用される連結具を示す斜視図。
【図９】（Ａ）は連結具本体の側面図、（Ｂ）は連結具本体の縦断面図。
【図１０】（Ａ）は連結具本体の正面図、（Ｂ）は連結具本体の背面図。
【図１１】第１の実施の形態の屋内光ケーブル配線の配線器具本体の使用状態を示す縦断面図。
【図１２】第１の実施の形態の屋内光ケーブル配線の配線器具本体の使用状態を示す側面図。
【発明を実施するための形態】
【００１６】
［第１の実施の形態］  
（構成）  
図１乃至図１２は、本発明の第１の実施の形態を示す。図１は本発明の第１の実施の形態の屋内光ケーブル配線用の配線器具が使用される屋内光ケーブル配線の使用例の概略構成を示す斜視図である。図１中で、符号１は玄関、２は室内ドア、３はＯＮＵ（光回線終端装置）、４は光ケーブル配線である。光ケーブル配線４は、細径インドア配線として一般的な例えば直径１．５ｍｍの光ケーブルが使用される。本実施の形態の屋内光ケーブル配線用の配線器具５は、室内ドア２と床面６との間の隙間Ｌ（図１１参照）に設置して使用される。
【００１７】
図２は本実施の形態の屋内光ケーブル配線４の配線器具５の本体７の裏面７ａを示す斜視図、図３は配線器具本体７の表面７ｂを示す斜視図である。図４に示すように配線器具本体７は、硬質な樹脂材料で形成されたほぼＬ字状の部材である。図５（Ａ），（Ｂ）に示すようにこの配線器具本体７の横断面形状はほぼかまぼこ型に形成され、かまぼこ型の平面が配線器具本体７の裏面７ａとなる。図１１に示すようにこの配線器具本体７の高さＨは、室内ドア２と床面６との間の隙間Ｌ（例えば４ｍｍ以上）に設置できる程度の薄さ、例えば３．８ｍｍ以下に設定されている。
【００１８】
図４に示すようにこの配線器具本体７の裏面７ａの中央部位には配線器具本体７と同じほぼＬ字形状の配線挿入溝８が形成されている。この配線挿入溝８内に光ケーブル配線４が挿入されるようになっている。この配線器具本体７の配線挿入溝８内に光ケーブル配線４を挿通することにより、簡単に光ケーブル配線４を通して保持することができる。
【００１９】
さらに、配線器具本体７の裏面には、配線挿入溝８の両側に配線器具本体７の切断長さの位置決め用および切断補助用の横スリット（切り込み部）９が光ケーブル配線４の延設方向と直交する方向に延設された状態で配線挿入溝８に沿って複数並設されている。そして、横スリット９を使用することで、必要に応じて現場で配線器具本体７を寸法合わせして配線器具本体７の切断長さの位置決めを行なうことができる。さらに、現場で寸法合わせした長さで例えばニッパあるいはハサミ等の通常使用工具で切断補助用の横スリット９から配線器具本体７を切断することで現場の状況に合わせて好適な状態で配線器具本体を設置することができる。
【００２０】
また、配線器具本体７は、縦棒部７ｃ１と横棒部７ｃ２との間にＬ字状の屈曲部７ｃ３を有する。この屈曲部７ｃ３では、配線挿入溝８が光ケーブル配線４の光ケーブルの光伝達損失がない許容範囲の曲げ半径Ｒの湾曲部１０に沿って形成されている。なお、湾曲部１０の曲げ半径Ｒは、例えば１５ｍｍに設定されている。
【００２１】
さらに、本実施の形態の屋内光ケーブル配線４の配線器具５は、図６に示すケーブル保護モール１１と、図８に示すＬ字状の配線器具連結具１２と組み合わせて使用される。ケーブル保護モール１１は、柔軟な樹脂材料で形成された長尺なモール本体１３を有する。図６は、ケーブル保護モール１１のモール本体１３を示す斜視図である。
【００２２】
ケーブル保護モール１１のモール本体１３は、壁面に固定される平面状の固定面１４と、この固定面１４の両側部からそれぞれ立脚された２つの挟持部（第１挟持部１５と第２挟持部１６）とを有する。第１挟持部１５は、固定面１４の一側部側から上向きに立脚されている。この第１挟持部１５の先端部には、固定面１４の他側部側（第２挟持部１６側）に向けて湾曲された第１先端湾曲部１５ａが形成されている。第２挟持部１６は、固定面１４の他側部側から上向きに立脚されている。この第２挟持部１６の先端部には、固定面１４の一側部側（第１挟持部１５側）に向けて湾曲された第２先端湾曲部１６ａが形成されている。図７に示すように第１挟持部１５の第１先端湾曲部１５ａと第２挟持部１６の第２先端湾曲部１６ａとは、開閉可能に重ね合わされた状態で保持されている。
【００２３】
そして、ケーブル保護モール１１への光ケーブル配線４の組み付け時には、第１挟持部１５の第１先端湾曲部１５ａと第２挟持部１６の第２先端湾曲部１６ａとの間に光ケーブル配線４を押し込むことで、第１挟持部１５の第１先端湾曲部１５ａと第２挟持部１６の第２先端湾曲部１６ａとの重ね合わせ部分を押し広げる方向に弾性変形させる。このままの状態で、光ケーブル配線４をケーブル保護モール１１の内部に押し込むことで、光ケーブル配線４をケーブル保護モール１１の内部に挿入された状態で組み付けられる。ケーブル保護モール１１の内部に光ケーブル配線４が押し込まれた後は、第１挟持部１５の第１先端湾曲部１５ａと第２挟持部１６の第２先端湾曲部１６ａとは弾力で元の重ね合わされて閉じた形状に復帰する。これにより、光ケーブル配線４をモール本体１３の内部に簡単に組み付けることができる。
【００２４】
さらに、ケーブル保護モール１１のモール本体１３は、図示しない回転ドラムに繰り出し可能に巻き付けられた状態で収納されている。ケーブル保護モール１１のモール本体１３は、ニッパ等の既存工具で切断可能になっている。そのため、必要に応じて回転ドラムからケーブル保護モール１１のモール本体１３を繰り出して必要な長さだけニッパ等の既存工具で切断して使用可能である。そして、モール本体１３の固定面１４は、例えば両面テープを使用することで、壁面、例えば屋内の縦壁面１７（図１２参照）に固定できるようになっている。
【００２５】
また、Ｌ字状の配線器具連結具１２は、硬質な樹脂材料で形成されたほぼＬ字状の連結具本体１８を有する。この連結具本体１８は、横断面形状がほぼＵ字状に形成された２つのＵ字溝構成体（第１Ｕ字溝構成体１９と第２Ｕ字溝構成体２０）を有する。これら第１Ｕ字溝構成体１９と第２Ｕ字溝構成体２０とはほぼ直角に連結された状態で一体成形されている。
【００２６】
第１Ｕ字溝構成体１９と第２Ｕ字溝構成体２０との連結部には、ほぼ円弧形状の円弧形状部２１が形成されている。この円弧形状部２１の曲げ半径Ｒ２は、光ケーブル配線４の光ケーブルの光伝達損失がない許容範囲の曲げ半径、例えば１５ｍｍに設定されている。これにより、連結具本体１８の内部には、第１Ｕ字溝構成体１９と第２Ｕ字溝構成体２０との間で曲げ半径Ｒ２の円弧形状部２１の湾曲部に沿って緩やかに湾曲される光ケーブル配線通路２２が形成されている。
【００２７】
また、Ｌ字状の配線器具連結具１２には、第１Ｕ字溝構成体１９側の壁面に切断長さの位置決め用および切断補助用の切り込み部２３が形成されている。これにより、配線器具連結具１２は、連結具本体１８の切り込み部２３で簡単に切断することができる。そのため、現場の状況に合わせて好適な状態で連結具本体１８を設置することができる。さらに、切り込み部２３で切断された半円パイプ状の切断部分２４は、例えば平面部分でケーブル保護モール１１と配線器具本体７の連結部分のカバーなどに使用することができる。
【００２８】
そして、Ｌ字状の配線器具連結具１２は、図１２に示すように床面６と縦壁面１７との連結部である角部に配設されて使用される。さらに、配線器具５の使用時にはＬ字状の配線器具連結具１２の連結具本体１８の一端部側を配線器具５の配線器具本体７の端部に重ね合わせた状態で係合されるようになっている。これにより、配線器具本体７から延設される光ケーブル配線４を連結具本体１８の内部の光ケーブル配線通路２２を介して縦壁面１７の方向にガイドするようになっている。そして、縦壁面１７では、光ケーブル配線４は、ケーブル保護モール１１のモール本体１３内に挿入される状態に組み付けて使用される。このとき、配線器具連結具１２の他端部側を、ケーブル保護モール１１のモール本体１３の端部に重ね合わせた状態で係合させることで、光ケーブル配線４を外部に露出させることなく屋内に敷設することができる。
【００２９】
（作用）  
本実施の形態の屋内光ケーブル配線用の配線器具５を使用して屋内に光ケーブル配線４を敷設する作業時には、室内ドア２と床面６との間の隙間Ｌに配線器具５の本体７を固定する作業が行なわれる。このとき、横スリット９を使用することで、必要に応じて現場で配線器具本体７を寸法合わせして配線器具本体７の切断長さの位置決めを行なうことができる。さらに、現場で寸法合わせした長さで例えばニッパあるいはハサミ等の通常使用工具で切断補助用の横スリット９から配線器具本体７を切断することで現場の状況に合わせて好適な状態で配線器具本体７を床面６上に設置することができる。そして、配線器具本体７の配線挿入溝８内に光ケーブル配線４を挿通することにより、簡単に光ケーブル配線４を通して保持することができる。
【００３０】
また、光ケーブル配線４を床面６上から屋内の縦壁面１７に延出する場合には、Ｌ字状の配線器具連結具１２とケーブル保護モール１１とが配線器具５と組み合わせて使用される。ここで、Ｌ字状の配線器具連結具１２は、現場の状況に合わせて必要に応じて連結具本体１８の切り込み部２３で切断して使用する。そして、Ｌ字状の配線器具連結具１２の連結具本体１８の一端部側を配線器具５の配線器具本体７の端部に重ね合わせた状態で係合させる。これにより、配線器具本体７から延設される光ケーブル配線４を連結具本体１８の内部の光ケーブル配線通路２２を介して縦壁面１７の方向にガイドする。
【００３１】
また、縦壁面１７の方向にガイドされた光ケーブル配線４は、ケーブル保護モール１１に組み付けて使用される。このケーブル保護モール１１の使用時には第１挟持部１５の第１先端湾曲部１５ａと第２挟持部１６の第２先端湾曲部１６ａとの間に光ケーブル配線４を押し込むことで、第１挟持部１５の第１先端湾曲部１５ａと第２挟持部１６の第２先端湾曲部１６ａとの重ね合わせ部分を押し広げる方向に弾性変形させる。このままの状態で、光ケーブル配線４をケーブル保護モール１１の内部に押し込むことで、光ケーブル配線４をケーブル保護モール１１の内部に挿入された状態で組み付けられる。ケーブル保護モール１１の内部に光ケーブル配線４が押し込まれた後は、第１挟持部１５の第１先端湾曲部１５ａと第２挟持部１６の第２先端湾曲部１６ａとは弾力で元の重ね合わされて閉じた形状に復帰する。これにより、光ケーブル配線４をモール本体１３の内部に簡単に組み付けることができる。
【００３２】
さらに、配線器具連結具１２の他端部側を、ケーブル保護モール１１のモール本体１３の端部に重ね合わせた状態で係合させる。これにより、屋内光ケーブル配線用の配線器具５を使用して屋内に光ケーブル配線４を敷設する作業時には、配線器具５と、配線器具連結具１２と、ケーブル保護モール１１とによって屋内に敷設される光ケーブル配線４の全てを外部に露出させることなく屋内に敷設することができる。
【００３３】
（効果）  
上記構成の本実施の形態の屋内光ケーブル配線用の配線器具５にあっては次の効果を奏する。すなわち、家屋のドア２と床面６との間の隙間Ｌに配線器具本体７を設置し、この配線器具本体７の配線挿入溝８内に光ケーブル配線４を挿通することにより、簡単に光ケーブル配線４を通すことができる。さらに、現場で寸法合わせして配線器具本体７の切断長さの位置決めを行なうことができ、現場で寸法合わせした長さで切断補助用の横スリット９から切断することで、現場の状況に合わせて好適な状態で配線器具本体７を設置することができる。
【００３４】
したがって、本実施の形態の屋内光ケーブル配線用の配線器具５では、機密性の高いマンション等においても、宅内ドア２下に４ｍｍ以上の隙間Ｌがあることに着目し、当該隙間Ｌを活用し、光ケーブル配線４をおこなうことができる。さらに、配線器具５の裏面７ａに光ケーブル配線４の光インドアケーブルの形状に合わせた配線挿入溝８を入れることにより、現場作業員でも容易に通線作業が可能となる。
【００３５】
また、配線器具本体７の高さＨは、例えば３．８ｍｍ以下に極力薄くし、形状も「かまぼこ型」としたので、ドア２との接触の影響を小さくすることができる。さらに、配線器具本体７の裏面７ａに切断用の横スリット９を入れたので、必要に応じて現場で配線器具本体７を寸法合わせして配線器具本体７の切断長さの位置決めを行なうことができ、現場で寸法合わせした長さで例えばニッパあるいはハサミ等の通常使用工具で切断補助用の横スリット９から配線器具本体７を切断することで現場の状況に合わせて好適な状態で配線器具本体を設置することができる。そのため、ドア形状について統一規格が無いことから、現場で簡易に調整することができる。
【００３６】
さらに、配線器具本体７の配線挿入溝８内に挿入された光ケーブル配線４は、Ｌ字状の屈曲部７ｃ３では光ケーブルの光伝達損失がない許容範囲の曲げ半径の湾曲部１０に沿って曲げられることにより、光ケーブルの光伝達損失の発生を防止することができる。
【００３７】
また、ケーブル保護モール１１は、モール本体１３の上部の第１挟持部１５の第１先端湾曲部１５ａと第２挟持部１６の第２先端湾曲部１６ａとの重ね合わせ部分を押し広げることにより、簡単に光ケーブル配線４をモール本体１３の内部に組み付けることができる。そのため、従来の配線保持器具を使用して光ケーブル配線を隠す作業に比べて光ケーブル配線４をケーブル保護モール１１の内部に組み付ける作業を簡単に行なうことができ、既存施工と比して大幅な時間短縮を実現することができる。
【００３８】
さらに、ケーブル保護モール１１のモール本体１３は、柔軟な樹脂材料で形成された長尺（例えば２５ｍ程度）なモール本体１３を回転ドラムから繰り出し、必要な長さだけニッパ等の既存工具で切断して使用することができる。これにより、光ケーブル配線４の敷設長さが比較的長い場合でも簡単に対応でき、光ケーブル配線４の敷設作業時にモール本体１３の端尺が出ることを防止して経済性を高めることができる。また、段差／曲げ等に対してもフレキシブルに布設可能としている。
【００３９】
また、Ｌ字状の配線器具連結具１２の一端部側が配線器具本体７の端部に係合されて配線器具本体７から延設される光ケーブル配線４を縦壁面１７の方向にガイドすることができる。
連結具本体１８のＬ字状の連結部内に挿入された光ケーブル配線は、光ケーブルの光伝達損失がない許容範囲の曲げ半径Ｒ２の円弧形状部２１の湾曲部に沿って緩やかに湾曲される光ケーブル配線通路２２に沿って曲げられることにより、光ケーブルの光伝達損失の発生を防止することができる。また、連結具本体１８の切り込み部２３で簡単に連結具本体１８の一部を切断することができ、現場の状況に合わせて好適な状態で連結具本体１８を設置することができる。
【００４０】
したがって、家屋内に光ケーブル配線４を行なう作業時に使用され、従来と比較して安価で施工性に優れるだけでなく、美観性も向上させた光ケーブル配線用の配線器具を提供することができる。
なお、本発明は上記実施の形態に限定されるものではない。上記実施の形態ではケーブル保護モール１１は屋内光ケーブル配線４の配線器具５と組み合わせて使用される例を示したが、必ずしもこれに限定されるものではない。例えば、ケーブル保護モール１１は配線器具５とは別に単独で屋内光ケーブル配線４の保護に使用することもできる。さらに、その他、本発明の要旨を逸脱しない範囲で種々変形実施できることは勿論である。
【符号の説明】
【００４１】
４…光ケーブル配線、５…配線器具、７…配線器具本体、７ａ…裏面、８…配線挿入溝、９…横スリット（切り込み部）。
【要約】      （修正有）【課題】家屋内に光ケーブル配線を行なう作業時に使用され、従来と比較して安価で施工性に優れるだけでなく、美観性も向上させた屋内光ケーブル配線用の配線器具を提供する。【解決手段】樹脂製の配線器具本体７の裏面７ａの中央部位に光ケーブル配線が挿入される配線挿入溝８が光ケーブル配線の延設方向に沿って形成され、配線器具本体７の切断長さの位置決め用および切断補助用の横スリット９が配線挿入溝８の両側に光ケーブル配線の延設方向と直交する方向に延設された状態で配線挿入溝８に沿って複数並設されている。【選択図】図２【図１】
0005461727.tif 000002
【図２】
0005461727.tif 000003
【図３】
0005461727.tif 000004
【図４】
0005461727.tif 000005
【図５】
0005461727.tif 000006
【図６】
0005461727.tif 000007
【図７】
0005461727.tif 000008
【図８】
0005461727.tif 000009
【図９】
0005461727.tif 000010
【図１０】
0005461727.tif 000011
【図１１】
0005461727.tif 000012
【図１２】
0005461727.tif 000013